(57)【要約】【課題】ルーバーで構成した屋根における換気、通風、採光率、外熱取り込み率の調整を可能とし、降雨時の排水性、雨漏れ対策が十分に施されたものを提供する。【解決手段】垂木掛け２１と垂木２２と前桁２３とで組み立てられた片流れ状の枠体２の中にルーバー３を取付け、そのルーバーを開閉する駆動手段４を備えた屋根において、ルーバーの羽根板のうち、垂木掛け側の端部に設けられるスタータ羽根板３１Ｓの上面の垂木側端部に、前桁方向に開口する溝を形成する突縁３１ｃ´を設けるとともに、スタータ羽根板の垂木側端部に設けられた支軸３４により前記垂木にその支軸を中心として回転自在に支持した。【選択図】      図１２
2006274666.tif 000002
【特許請求の範囲】
【請求項１】
垂木掛けと垂木と前桁とで組み立てられた片流れ状の枠体の中にルーバーを取付け、そのルーバーを開閉する駆動手段を備えた屋根において、前記ルーバーの羽根板のうち、前記垂木掛け側の端部に設けられるスタータ羽根板の上面の垂木側端部に、前記前桁方向に開口する溝を形成する突縁を設けるとともに、前記スタータ羽根板の垂木側端部をこれに設けられた支軸により前記垂木にその支軸を中心として回転自在に支持したことを特徴とする屋根。
【請求項２】
スタータ羽根板は、金属製中空押出形材で構成され、扁平台形状の中空部と、その中空部の上面の垂木掛け方向延長上に前桁方向に開口する溝を形成する第１突縁と、前記中空部の上面の前桁方向延長上に設けられて、ルーバー閉鎖時において、前記前桁方向に隣接する羽根板の垂木掛け側端部を被覆する第２突縁とを一体に有することを特徴とする請求項１に記載の屋根。
【請求項３】
スタータ羽根板は、第１突縁の下側に、前記スタータ羽根板を垂木に回動自在に支持する支軸を挿通する軸受部を有することを特徴とする請求項２に記載の屋根。
【請求項４】
スタータ羽根板の長手方向両端部に中空部を遮蔽するブラケットが固着され、そのブラケットの垂木掛け側端部が支軸により垂木に回動自在に支持されていることを特徴とする請求項２に記載の屋根。
【請求項５】
ルーバーの羽根板のうち、スタータ羽根板を除く羽根板には、一端部が垂木に枢着されたブラケットが固着され、かつ、各ブラケットの他端部が駆動手段により垂木の長手方向に往復移動される一つのリンクに枢着され、前記スタータ羽根板の長手方向一端部に固着されるブラケットは、そのスタータ羽根板の上方に起立する起立部を有し、その起立部の前桁側部分に、前記垂木掛けから二番目の羽根板に一端が枢着された短リンクの他端が枢着されていることを特徴とする請求項１、２、３又は４に記載の屋根。
【請求項６】
スタータ羽根板の支軸は、その軸線が垂木掛けの樋を形成する嵌合凹部を通る位置に設けられ、前記スタータ羽根板の溝を形成する突縁はルーバーの開閉時に前記垂木掛けの嵌合凹部内で回転されることを特徴とする請求項２、３、４又は５に記載の屋根。
【発明の詳細な説明】
【技術分野】
【０００１】
本発明は、主として採光及び通風のために開閉可能な屋根に関する。
【背景技術】
【０００２】
テラス、サンルームあるいはひさしに設けられる屋根には、日除け及び雨除けの本来の機能のほかに、採光と通風の機能が求められる場合がある。採光と通風の機能を備えた従来の屋根には、枠体の中に日除けテントからなる日除け部材を水平移動により開閉可能に設けたもの（例えば特許文献１：第１従来技術）と、枠体の中にシートを回転ドラムで巻き取り可能に設け、そのシートの先端に移動枠をスライド自在に設けたもの（例えば特許文献２：第２従来技術）と、枠体の中に複数のスラット又はパネルを摺動により開閉自在に設けたもの（例えば特許文献３：第３従来技術）が知られている。
【特許文献１】特開２００２−５４３１２
【特許文献２】特開２００１−９０２４４
【特許文献３】特開２００２−３３９４９７
【発明の開示】
【発明が解決しようとする課題】
【０００３】
第１従来技術は、日除け部材の水平移動により開閉するので、開放のために日除け部材が移動された部分のみが全面開放され、それ以外の部分は閉鎖されているから、採光又は通風の有・無調整は可能であるが、屋根全面の採光量又は通風量の調整はできない。また、日除け部材に日除けテントを用いるから、耐候性、耐久性、耐火性に劣っている。
第２従来技術は、移動枠を移動して、シートをドラムに巻き取ることにより開放するので、第１従来技術と同様に、開放のために移動枠が移動された部分のみが全面開放され、それ以外の部分は閉鎖されているから、採光の有・無調整は可能であるが、屋根全面の採光量の調整はできない。また、日除け部材にシートを用いるから、耐候性、耐久性、耐火性に劣っている。
さらに、第３従来技術は、枠体の中のスラット又はパネルの平行移動により開閉されるので、スラット又はパネルの移動量に対応する部分のみ開放されるから、これも同様に、採光の有・無調整は可能であるが、屋根全面の採光量又は通風量の調整はできない。また、第３従来技術の場合は、少なくとも１枚のスラット又はパネルの幅分は閉鎖しているから、採光率・通風率に限界がある。
【０００４】
このような状況であるため、屋根全面における換気、通風、採光、外熱遮断・取り込みの調整が可能な多機能を有する屋根の出現が待望されていた。このような機能は、ルーバーで屋根板を構成することにより実現可能である。しかし、単に既知のルーバーを屋根の枠体に取り付けるだけでは、降雨時の排水性、雨漏れ対策が不十分であり、とくにルーバーの垂木掛け側端部の羽根板（本明細書ではこれをスタータ羽根板という。）と垂木掛けとの間における雨対策に関して、未解決の問題がある。
【０００５】
そこで、本発明の課題は、ルーバーで屋根板を構成して、換気、通風、採光率、外熱取り込み率の調整を可能とした屋根において、ルーバーのスタータ羽根板と垂木掛けとの間の、ルーバー閉鎖時及び開放時の雨対策が十分に施されたものを提供することにある。
【課題を解決するための手段】
【０００６】
本発明は、上記課題を解決するため、垂木掛けと垂木と前桁とで組み立てられた片流れ状の枠体の中にルーバーを取付け、そのルーバーを開閉する駆動手段を備えた屋根において、ルーバーの羽根板のうち、垂木掛け側の端部に設けられるスタータ羽根板の上面の垂木側端部に、前記前桁方向に開口する溝を形成する突縁を設けるとともに、スタータ羽根板の垂木側端部に設けられた支軸により前記垂木にその支軸を中心として回転自在に支持したことを特徴としている（請求項１）。
上記構成において、ルーバー閉鎖状態において、スタータ羽根板の上面に沿って垂木かけ方向に吹き付けられる雨水は、突縁によりスタータ羽根板と垂木掛けの間に流入することが抑止される。その突縁により形成される溝に流れた雨水は、例えば、横方向に流れて垂木の樋に排水される。また、ルーバーの開放当初にスタータ羽根板の上面に付着している雨水や露などは、起立されるスタータ羽根板の上面に沿って溝内に受け止められる。従って、スタータ羽根板と垂木掛けの間からの雨漏りが確実に防止される。
【０００７】
本発明においては、スタータ羽根板は、金属製中空押出形材で構成され、扁平台形状の中空部と、その中空部の上面の垂木掛け方向延長上に前桁方向に開口する溝を形成する第１突縁と、前記中空部の上面の前桁方向延長上に設けられて、ルーバー閉鎖時において、前記前桁方向に隣接する羽根板の垂木掛け側端部を被覆する第２突縁とを一体に有することであることが望ましい。（請求項２）。
上記構成により、スタータ羽根板は金属製中空押出形材で構成されているので、暴風や豪雪に耐えうる強度を備え、また、第１突縁により垂木掛けとスタータ羽根板との間からの雨水浸入が、第２突縁によりルーバー閉鎖時のスタータ羽板とこれに隣接する羽根板との間からの雨水浸入が、それぞれ防止される。
【０００８】
本発明においては、スタータ羽根板は、第１突縁の下側に、前記スタータ羽根板を垂木に回動自在に支持する支軸を挿通する軸受部を有することが望ましい（請求項３）。
上記構成により、軸受部に挿通した支軸を垂木に支持すれば、スタータ羽根板は垂木に回転自在に支持される。
【０００９】
本発明においては、さらに、スタータ羽根板の長手方向両端部に中空部を遮蔽するブラケットが固着され、そのブラケットの垂木掛け側端部に、前記スタータ羽根板を垂木に回動自在に支持する支軸を挿通する孔が形成されていることが望ましい（請求項４）。
上記構成により、垂木に固着した支軸をブラケットの孔に挿通するだけで、スタータ羽根板は容易に垂木に対して回転自在に支持される。
【００１０】
本発明においては、さらに、ルーバーの羽根板のうち、スタータ羽根板を除く羽根板には、一端部が垂木に枢着されたブラケットが固着され、かつ、各ブラケットの他端部が駆動手段により垂木の長手方向に往復移動される一つのリンクに枢着され、スタータ羽根板の長手方向一端部に固着されるブラケットは、そのスタータ羽根板の上方に起立する起立部を有し、その起立部の前桁側部分に、前記垂木掛けから二番目の羽根板に一端が枢着された短リンクの他端が枢着されていることが望ましい（請求項５）。
上記構成により、リンクはスタータ羽根板の前方で終止しているので、ルーバー開放時の回動範囲を確保することができる。また、短リンクにより、スタータ羽根板も他の羽根板と連動して開閉する。
【００１１】
本発明においては、さらに、スタータ羽根板の支軸は、その軸線が垂木掛けの嵌合凹部を通る位置に設けられ、前記スタータ羽根板の第１突縁はルーバーの開閉時に前記垂木掛けの嵌合凹部内で回転されることが望ましい（請求項６）。
上記構成により、ルーバー閉鎖時はルーバー上面に降る雨が垂木掛け方向に吹き付けられて仮にスタータ羽根板の突縁により形成されている溝から溢出することがあっても、あるいは、ルーバー開放当初にスタータ羽根板の上面に付着している雨水又は露がスタータ羽根板の溝から溢出することがあっても、その溢出した雨水等は垂木掛けの樋に受け止められる。垂木掛けの樋の両端部から流出する水は、例えば垂木の樋を流れ、前桁の樋に合流し、その前桁の樋から縦樋を介して排水される。
【発明の効果】
【００１２】
請求項１の発明によれば、垂木掛けと垂木と前桁とで組み立てられた片流れ状の枠体の中にルーバーを取付け、そのルーバーを開閉する駆動手段を備えた屋根において、ルーバーの羽根板のうち、垂木掛け側の端部に設けられるスタータ羽根板の上面の垂木側端部に、前桁方向に開口する溝を形成する突縁を設けるとともに、スタータ羽根板の垂木側端部に設けられた支軸により前記垂木にその支軸を中心として回転自在に支持したので、ルーバー閉鎖状態においては、スタータ羽根板の上面に沿って垂木かけ方向に吹き付けられる雨水は突縁によりスタータ羽根板と垂木掛けの間に流入することが抑止され、また、ルーバーの開放当初にスタータ羽根板の上面に付着している雨水や露などは、起立されるスタータ羽根板の上面に沿って溝内に受け止められるから、スタータ羽根板と垂木掛けの間からの雨漏りが確実に防止される。
【００１３】
請求項２の発明によれば、前記スタータ羽根板は、金属製中空押出形材で構成され、扁平台形状の中空部と、その中空部の上面の垂木掛け方向延長上に前桁方向に開口する溝を形成する第１突縁と、中空部の上面の前桁方向延長上に設けられて、ルーバー閉鎖時において、前桁方向に隣接する羽根板の垂木掛け側端部を被覆する第２突縁とを一体に有するので、暴風や豪雪に耐えうる強度を備えるとともに、第１突縁により垂木掛けとスタータ羽根板との間からの雨水浸入が防止されるに止まらず、第２突縁によりルーバー閉鎖時のスタータ羽板とこれに隣接する羽根板との間からの雨水浸入も防止される。
【００１４】
請求項３の発明によれば、スタータ羽根板は、第１突縁の下側にスタータ羽根板を垂木に回動自在に支持する支軸を挿通する軸受部を有するので、軸受部に挿通した支軸を垂木に支持するだけで、容易にスタータ羽根板を垂木に回転自在に支持することができ、施工が簡単である。
【００１５】
請求項４の発明によれば、スタータ羽根板の長手方向両端部に中空部を遮蔽するブラケットが固着され、そのブラケットの垂木掛け側端部にスタータ羽根板を垂木に回動自在に支持する支軸を挿通する孔が形成されているので、ブラケットによりスタータ羽根板の中空部への雨水浸入が阻止され、また、垂木に固着した支軸をブラケットの孔に挿通するだけでスタータ羽根板を垂木に対して容易に回転自在に支持することができるので、スタータ羽根板に軸受部を設けることによる製造コスト上昇を抑えることができる。
【００１６】
請求項５の発明によれば、ルーバーの羽根板のうち、スタータ羽根板を除く羽根板には、一端部が垂木に枢着されたブラケットが固着され、かつ、各ブラケットの他端部が駆動手段により垂木の長手方向に往復移動される一つのリンクに枢着され、スタータ羽根板の長手方向一端部に固着されるブラケットは、そのスタータ羽根板の上方に起立する起立部を有し、その起立部の前桁側部分に、前記垂木掛けから二番目の羽根板に一端が枢着された短リンクの他端が枢着されているので、リンクはスタータ羽根板の前方で終止しているから、ルーバー開放時の回動範囲を確保することができ、短リンクによりスタータ羽根板も他の羽根板と連動して確実に開閉することができる。
【００１７】
請求項６の発明によれば、スタータ羽根板の支軸は、その軸線が垂木掛けの嵌合凹部を通る位置に設けられ、スタータ羽根板の第１突縁はルーバーの開閉時に前記垂木掛けの嵌合凹部内で回転されるので、ルーバー閉鎖時にルーバーに降った雨が仮にスタータ羽根板のる溝から溢出することがあっても、あるいは、ルーバー開放当初にスタータ羽根板の上面に付着している雨水又は露がスタータ羽根板の溝から溢出することがあっても、その溢出した雨水等は垂木掛けの樋に受け止められるから、スタータ羽根板と垂木掛けの間から雨漏りすることはない。
【発明を実施するための最良の形態】
【００１８】
次に、本発明の実施の形態について、図面に基づいて説明する。本発明の屋根は、テラス、サンルーム及びひさしに適用することができるが、以下には、テラス屋根に適用した例について詳述する。
図１はテラス屋根の正面図、図２は同側面図、図３は図１のＡ−Ａ線に沿った垂木掛け側の部分の断面図、図４は図１のＡ−Ａ線に沿った前桁側の部分の断面図、図５は垂木掛けの端部の斜視図、図６は図２のＢ−Ｂ線に沿った一部省略断面図、図７は図２のＣ−Ｃ線に沿った一部省略断面図、図８はルーバーの一つの羽根板の形状を示す拡大断面図、図９は図１のＤ−Ｄ線に沿ったルーバー閉鎖状態における断面図、図１０は同じくルーバー開放状態における断面図、図１１はスタータ羽根板及びブラケットを示す断面図、図１２はスタータ羽根板の開閉作用を説明する要部の拡大断面図、図１３は駆動手段の別の取付例を示す要部の側面図、図１４は駆動手段のさらに別の例を示す要部の斜視図である。
【００１９】
［全体の概略的構成］
図示の例では、地面に立設された左右の支柱１の上端部に枠体２が取り付けられ、その枠体２の中にルーバー３が取り付けられ、また、枠体２にルーバー開閉用の駆動手段４が取り付けられている。以下に、各構成要素について詳細に説明する。
【００２０】
［枠体］
枠体２は、建物の外壁Ｗに固着される垂木掛け２１と、その垂木掛けの長手方向両端部から外壁Ｗより遠ざかる方向に下り傾斜して延びる垂木２２と、両垂木２２の下端部間を延びる前桁２３とを四角形の各辺に沿って連続するように接続して構成されている。
屋根の間口寸法が大きい図示の例では、枠体２の垂木掛け２１の長手方向中間部と前桁２３の長手方向中間部の間に垂木２２と平行に延びる中間垂木２５が設けられ、その中間垂木の長手方向両端部が垂木掛け２１と前桁２３に接続されて、枠体２は平面形状が横転「日」字形に形成されている。従って、枠体２は、中間垂木２５の左右両側に、垂木掛け２１と垂木２２と中間垂木２５と前桁２３とで周囲を囲まれた二つの開口２６を有しており、それぞれの開口にルーバー３が設けられている。
【００２１】
垂木掛け２１は、図３及び図５に示すように、縦壁２１ａの上端部、中間部及び下端部にそれぞれ同一方向に突出する上壁２１ｂ、中壁２１ｃ及び下壁２１ｄを有し、各壁の間に上側の嵌合凹部２１ｅと下側の嵌合凹部２１ｆを有して、断面形状がほぼヨ字形に形成され、縦壁２１ａの背面を外壁Ｗに当接した状態で下側の嵌合凹部２１ｆからコーチスクリューＳを外壁Ｗにねじ込んで固定されている。また、垂木掛け２１の中壁２１ｃは段状に形成されて、上側の嵌合凹部２１ｅの底部は樋２１ｇを構成している。そして、中壁２１ｃの先端部に垂木掛け２１の全長に沿って連続して上方に突出する水密材ｗｔ１が設けられている。
【００２２】
垂木掛け２１の中壁２１ｃと下壁２１ｄの間には、垂木掛け２１の長手方向両端部と中間部とにおいて後述される垂木２２及び中間垂木２５の長手方向一端部が嵌合され、かつ、下壁２１ｄに載置されて、ねじｎ１により接続されている。
【００２３】
両側の垂木２２は、図６に示すように、枠体２の開口２６と反対側にほぼＬ字形の中空部２２ａを有し、その中空部のＬの下辺に相当する部分の端部から上方に突出する突縁２２ｂが形成され、また、垂木の開口２６側に上方に開口する樋２２ｃが一体に設けられている。そして、その樋を形成する開口２６側の縦壁２２ｄの上端部に垂木の全長に沿って上方に突出する水密材ｗｔ２が設けられている。垂木の開口２６と反対側の面には、垂木よりも高さの大きい飾り枠２２’が添設されている。
【００２４】
中間垂木２５は、図６に示すように、横方向中央に形成された中空部２５ａの左右両側に垂木の樋２２ｃと同様の上方に開口する樋２５ｂを一体に有し、それぞれの樋を形成する開口２６側の縦壁２５ｃの上端部に中間垂木の全長に沿って上方に突出する水密材ｗｔ３が設けられている。上記垂木掛けの水密材ｗｔ１、両垂木の水密材ｗｔ２及び中間垂木の水密材ｗｔ３は共通の平面上に存在して、二つの開口２６の周辺のうち、３つの辺に沿ってコ字形に連続している。
【００２５】
前桁２３は、図４に示すように、ほぼＵ字溝状に形成され、上方に開口する樋２３ａを有するとともに、その樋を形成する開口２６側の縦壁２３ｂの上下端部に開口２６方向に突出する突縁２３ｃ，２３ｄを有している。そして、前桁２３の長手方向両端部と中間部において、上下の突縁２３ｃ、２３ｄの間にそれぞれ垂木２２と中間垂木２５の下端部を嵌合し、平面Ｌ字形のブラケットの各辺を垂木の縦壁２２ｄと前桁の縦壁２３ｂ、又は中間垂木２５の縦壁２５ｃと前桁の縦壁２３ｂに当接し、その当接した縦壁同士をビスｂ１で結合してある。この場合、前桁２３の縦壁２３ｂには、垂木２２の樋２２ｃ及び中間垂木２５の樋２５ｂの下端面に対面する部分に孔が開けられて、垂木２２の樋２２ｃ及び中間垂木２５の樋２５ｂが前桁の樋２３ａに連通させてある。さらに、前桁の樋２３ａの底壁には支柱１の付近において排水口（図示せず）が形成してあり、その排水口に支柱１に沿って設けられた縦樋（図示せず）の上端部が接続してある。
【００２６】
前桁２３の開口２６と反対側の面には、垂木の飾り枠２２′と同様の飾り枠２３′が固着されていいる。そして、垂木の飾り枠２２′の前桁側端部と、前桁の飾り枠２３′の長手方向端部とは、直角に連続するように密着されている。図４において、２７は左右の支柱１の上端部間に架橋された支持枠であり、その支持枠の上面に垂木２２の下端部付近、中間垂木２５の下端部付近を載置し、ビスｂ２で固定されている。
【００２７】
［ルーバー］
ルーバー３は、概略的には、多数の帯状の羽根板３１を、その長手方向を外壁Ｗと平行にして水平方向に延長させ、かつ垂木掛け２１から前桁２３の方向に隣接するように配置し、各羽根板をその両端部に固着した後述されるブラケット３２，３３を介して垂木２２と中間垂木２５とにそれぞれ水平な支軸３４を中心に回転自在に支持し、前記ブラケットのうち、中間垂木２５側のブラケット３３に設けた上方延長部３３ｃの上端部を共通のリンク３５に枢着して構成されている。以下に、各構成要素について詳しく説明する。
【００２８】
まず、羽根板３１は、図８に例示するように、アルミニウム合金製中空押出形材で形成されており、断面が扁平な台形の中空部３１ａと、その中空部の厚みが小さい側の端面の下部に中空部の底面延長上に突出する第１突縁３１ｂと、同じ側の端面の上部から上方にＬ字形に屈曲して又はＣ字形に湾曲して突出する第２突縁３１ｃと、中空部の厚みが大きい側の端面の上部から中空部の上面延長上に突出する第３突縁３１ｄとを一体に有し、底面の第３突縁と同じ側の端部に第１突縁３１ｂが嵌合できる下方開放の凹部３１ｅを有している。そして、第１突縁３１ｂ及び第２突縁３１ｃには、その全長に沿って水密材ｗｔ４，ｗｔ５が嵌着されている。このような羽根板３１は、第１及び第２突縁３１ｂ，３１ｃが垂木掛け２１側に、第３突縁３１ｄが前桁２３側に位置するように互いに近接して取り付けられる。
【００２９】
このような羽根板の形状及び近接して取り付ける位置により、ルーバー３が閉じられた際には、各羽根板の第１突縁３１ｂが上側（垂木掛け側）の羽根板の凹部３１ｅに嵌合して、水密材ｗｔ４がその底面に密着するとともに、第２突縁３１ｃに上側の羽根板の第３突縁３１ｄが被覆し、水密材ｗｔ５がその第３突縁３１ｄの下面に密着するようになっている。
【００３０】
また、羽根板３１は、図６，７に示すように、その長手方向一端部が垂木２２の樋２２ｃに臨み、長手方向他端部が中間垂木２５の樋２５ｂに臨む長さを有している。
【００３１】
ルーバー３を枠体２に開閉自在に取り付けるため、各羽根板３１の長手方向両端部に平板状のブラケット３２、３３が固着され、そのブラケットの一端が軸３４により垂木２２及び中間垂木２５に回転自在に支持されている。さらに詳述すると、羽根板３１の垂木２２側の端部に固着される第１ブラケット３２は、図３及び図４に示すように、羽根板３１の中空部３１ａの全面を遮蔽することができる面積を有する、羽根板３１の外輪郭とほぼ同様の形状の被覆部３２ａと、その被覆部の下側に形成され、その被覆部の下辺の中間位置から羽根板の第１突縁３１ｂを越える位置まで延出する支持部３２ｂとを一体に有している。そして、第１ブラケット３２は、これを羽根板の長手方向端面に当接し、これに貫通したビスを羽根板３１に形成されているビスホール３１ｆにねじ込むことにより、羽根板に固着されている。羽根板３１に固着された第１ブラケット３２は、支持部３２ｂの垂木掛け側の端部に形成されている孔に、垂木の突縁２２ｂの所定位置に設けられた孔に挿入して水平に取り付けられた支軸３４を貫通して、その支軸を中心に回転自在に支持してある。
【００３２】
羽根板３１の中間垂木２５側の端部に固着される第２ブラケット３３は、図６，７及び図１２に示すように、第２ブラケット３２の被覆部３３ａ及び支持部３２ｂと同様の被覆部３３ａと支持部３３ｂとを有するほかに、被覆部３３ａから上方に延びるほぼ三角形の連結部３３ｃ（上方延長部）とを一体に有している。この第２ブラケット３３の羽根板３１に対する取り付け方法は、ブラケット３２の羽根板３１に対する取り付け方法と同じである。そして、第２ブラケット３３は、垂木の突縁２２ｂの所定位置に設けられた孔に挿入して水平に取り付けられた支軸３４を第２ブラケット３３の垂木掛け側の端部に形成されている孔に貫通して、その支軸を中心に回転自在に支持してある。
【００３３】
各羽根板の両端部の支軸３４は、それぞれ垂木及び中間垂木の軸線に直角な互いに平行な直線上に存在している。３６は、羽根板３１と第１ブラケット３２と第２ブラケット３３との接続強度を補強するための補強部材である。
【００３４】
図６，７，９，１２に示すように、左右二つのルーバー３の第２ブラケット３３の三角形の連結部３３ｃ（上方延長部）は、垂木掛け２１と前桁２３との間において、これらに直角方向に延びる作動リンク３５に枢着されている。
【００３５】
作動リンク３５は、これを上下方向、すなわち、垂木掛け２１に近づく方向と垂木掛け２１から遠ざかる方向に往復移動させる駆動手段４に結合されている。この駆動手段の種類と取り付け位置は特に限定されない。また、二つのルーバーを備えた場合、各別に開閉しても良いし、両者を連動して同時に開閉しても良い。図示の例は、一つの駆動手段により両者同時に連動開閉するようにしたものである。
【００３６】
図示の例では、駆動手段を電動シリンダーで構成してある。中間垂木２５の中空部２５ａの上面の垂木掛け２１に近い位置に脚４１を立設し、その脚にコンプレッサ４２と電動シリンダ４３が固定してあり、そのシリンダロッド４４の先端は、２枚のジョイント板４５の間に枢支された軸４６に枢着されている。ジョイント板４５は、側面ほぼ三角形又は台形に形成されていて、その下端部の前後両側部分に、隣り合う羽根板の第２ブラケット３３を作動リンク３５に枢着する軸３６よりも長い軸４７を貫通することにより取り付けられている。
【００３７】
電動シリンダ４３には、制御回路（不図示）が、その制御回路には操作部（不図示）がそれぞれ電気的に接続されている。この操作部は、ルーバーの閉鎖を指定するための操作及びルーバーの開放を指定するための操作をすることができるものであり、単に全閉・全開のみでも良いが、本発明の好ましい実施例では、開放については、羽根板の開放角度を複数段階、例えば、３０度、６０度、９０度及び１００度などの各段階に指定することができるようになっている。制御回路は操作部による各指定に基づいて電動シリンダ４３によるロッド４４の伸長量を制御するようになっている。
【００３８】
操作部によりルーバー閉鎖が指定された場合は、電動シリンダ４３は初期状態になり、シリンダロッド４４が初期状態である最大伸長状態に保持されるため、ルーバーの各羽根板は図６〜９に示すように、羽根板３１の底面が垂木２２及び中間垂木２５の上面に当接する状態で保持される。このとき、隣り合う羽根板においては、図８に示すように、一つの羽根板３１の水密材ｗｔ４が垂木掛け側の羽根板の凹部３１ｅに嵌合し、かつ、その底面に密着するとともに、水密材ｗｔ５が同羽根板の第３突縁３１ｄの下面に密着する。また図６，７に示すように、垂木２２の樋２２ｃよりも開口２６側の縦壁２２ｄの上端部の水密材ｗｔ２及び中間垂木２５の樋２５ｂよりも開口２６側の縦壁２５ｃの上端部の水密材ｗｔ３がいずれも各羽根板の底面に密着する。これにより、ルーバー閉鎖時においては、降雨時に各羽根板の間から雨水が屋根下方に流下したり、滴下したりすることがない。そして、ルーバーに降った雨は、各羽根板の上端部の第二突縁３１ｃにより形成された樋３１ｇ内に集合し、その樋の長手方向端部から垂木の樋２２ｃ又は中間垂木の樋２５ｂに流下し、それらの樋の下端部から前桁の樋２３ａに流れ込み、その前桁の樋の排水口から縦樋を経て地中の排水管に排水される。
【００３９】
また、操作部によりルーバー開放が指定された場合は、又は複数段階のうち所定の開放角度が選択された場合は、電動シリンダ４３は初期状態から起動し、シリンダロッド４４が所定長さまで短縮されるため、ルーバーの各羽根板は図９，１２において支軸３４（図６，７）を中心として時計方向に指定された角度まで回転されて、開放される。図１０は、回転角度が９０度と指定された場合の開放状態における断面図である。
【００４０】
羽根板３１は、上述したように支軸３４に近い端部（上端部）の上側に、樋３１ｇを有しているので、羽根板の上面に付着している水滴がルーバー開放時に立ち上がる羽根板の上面を流れ落ちることがあっても、その水滴は樋３１ｇに流下し、受け止められるので、水滴が屋根面の下方に滴下することはない。樋３１ｇに流下した水滴の量が多く、樋に沿って流れることがあっても、その樋の端部から垂木の樋２２ｃ又は中間垂木の樋２５ｂに排水されるので、水滴が屋根面の下方に流下することはない。
【００４１】
図３、図９及び図１０，１２において、垂木掛け２１に隣接して設けてあるスタータ羽根板３１ｓは、ルーバー閉鎖状態においてそのスタータ羽根板３１ｓと垂木掛け２１の間から雨水が流下することを防止し、また、ルーバー開放時に、そのスタータ羽根板の上面に付着していた水滴が滴下することを防止するため、上述した他の羽根板３１とは異なる形状を有しており、他の羽根板とは異なる動力伝達機構により開閉されるように構成してある。
【００４２】
すなわち、図１１に示すように、スタータ羽根板３１ｓの垂木掛け側の端部を除く部分の形状は、他の羽根板３１の形状とほぼ同一であって、中空部３１ａ′と、第３突縁３１ｄ′と凹部３１ｅ′とを有しているが、垂木掛け側の端部は他の羽根板３１の第１突縁３１ｂ′に対応する第１突縁３１ｂ′は円弧状に湾曲され、また、他の羽根板３１の第２突縁３１ｃ′に対応するもの３１ｃ′（本発明においては第１突縁）は中空部３１ａ′の上面の垂木掛け方向の延長上にＬ字形に屈曲する又は湾曲して、前桁方向に開口する溝３１ｇ′が形成されている。
【００４３】
さらに、スタータ羽根板３１ｓの長手方向両端面に取り付けられるブラケットのうち、垂木２２側の端面に取り付けられるものは、スタータ羽根板の中空部３１ａ′の端面を遮蔽する被覆部３３ａ′のいずれのブラケットにも垂木掛け側端部に孔３３ｄを有し、中間垂木２５側のブラケット３３ｓの連結部３３ｃ′には前桁側部分に孔３３ｅを有している。中間垂木２５側の端面に取り付けられるブラケット３３ｓは、スタータ羽根板の中空部の端面を遮蔽する被覆部３３ａ′と、その被覆部の上側に一体に形成された連結部３３ｃ′とで構成されている。
【００４４】
そして、スタータ羽根板３１ｓは、その長手方向両端部における孔３３ｄに一部を挿入した支軸３７の残部を垂木２２の縦壁２２ｄ及び中間垂木２５の縦壁２５ｃに枢支することより、その支軸３７を中心として回動自在に支持されている。その場合、両支軸３７の軸心は、垂木掛け２１の上側凹部２１ｅの入口付近を通る水平直線上に存在し、第２突縁３１ｃ′は、スタータ羽根板が回動される時に上側凹部２１ｅの中で回動されるように配置されている。
【００４５】
スタータ羽根板３１Ｓを垂木２２及び中間垂木２５に支軸３７を介して回転自在に支持する構造は、図示の例に限らない。スタータ羽根板３１Ｓの第１突縁３１ｂ′と第２突縁３１ｃ′の間に支軸３７を挿通する軸受部を一体に設けても良い。
【００４６】
図３，１２において、３８は短リンクであり、その両端はスタータ羽根板３１ｓのブラケット３３ｓの連結部３３ｃ′の孔３３ｅ′に挿通された軸３９ａと、スタータ羽根板に隣接する羽根板（垂木掛けから２番目の羽根板）のブラケット３３の孔に挿通された軸３９ｂに固着されている。この短リンクが前記動力伝達機構を構成している。
【００４７】
上記の構成より、ルーバー３が閉鎖されるときは、図３，９，１２（ａ）に示すように、電動シリンダ４３及びシリンダロッド４４を介してリンク３５が垂木掛け２１から遠ざかる方向に移動されて、スタータ羽根板３１ｓに隣接する羽根板３１はそれ以外の羽根板と同様に支軸３４を中心として図１２において反時計方向に回動されるが、その羽根板のブラケット３３とスタータ羽根板３１ｓのブラケット３３ｓが短リンク３８で連結されているため、スタータ羽根板３１ｓは、その支軸３７を中心として同一方向に回動される。そして、ルーバーが完全に閉鎖された時は、そのスタータ羽根板３１ｓの底面が垂木掛け２１の水密材ｗｔ１に密着し、また、今は起立している第２突縁３１ｃ′が垂木掛け２１の上壁２１ｂの先端部の内面に当接する。従って、雨がスタータ羽根板３１ｓの上面に降り付けても、その雨水はスタータ羽根板の起立している第２突縁３１ｃ′により形成されている溝３１ｇ′に沿ってスタータ羽根板の長手方向端部の方向に流れる。万一、垂木掛け２１の上壁２１ｂとスタータ羽根板の第２突縁３１ｃ′との間から雨水が上側凹部２１ｅの中に流入しても、その上側凹部の底部が樋となって、その長手方向端部から垂木２２の樋２２ｃの中に排水される。
【００４８】
また、ルーバー開放時には、図１０，１２（ｂ）に示すように、前記リンク３５が垂木掛け２１に近づく方向に移動され、これに伴い、スタータ羽根板３１ｓに隣接する羽根板３１が支軸３４を中心として図１０，１２（ｂ）において時計方向に回動される際に、これに連動して短リンク３８によりスタータ羽根板３１ｓもその支軸３７を中心に時計方向に所定角度まで回動される。スタータ羽根板３１ｓが９０度又は１００度などの最終角度まで回転されたときは、スタータ羽根板３１ｓの第２突縁３１′ｃの縦辺が垂木掛けの上側凹部２１ｅ内でほぼ水平状態になる。従って、スタータ羽根板に雨水が付着している場合は、そのスタータ羽根板に沿って流下し、垂木掛け２１の上側凹部２１ｅに落下する。従って、スタータ羽根板からの雨水が屋根面の下方に滴下することも防止される。
【００４９】
以上の実施例では、駆動手段４のコンプレッサ４２、電動シリンダ４３及びシリンダロッド４４が屋根自体に、すなわち、中間垂木２５に取り付けられたが、これに限定されるものではなく、図１３に４Ｅを例示するように、建物の外壁Ｗなどに取り付けても良い。また、駆動手段は自動式に限られず、図１４に例示するように、手動式の駆動手段４ＥＥを用いることもできる。図１４において、４８はハンドル、４９はウォームギヤなどで構成された開閉機、４１０はその開閉機により回転される巻き取りドラム、４１１は巻き取りドラムに巻き取られ、複数の滑車４１２を介してリンク４１３を引っ張るワイヤーロープ、４１４は滑車取り付け用ブラケット、４１５はリンク復帰用コイルばねである。
【００５０】
図４には、羽根板３１及びスタータ羽根板３１ｓの幅寸法と垂木２２及び中間垂木２５の長さ寸法との関係で、前桁２３と前桁に最も近い羽根板との間に隙間が生じるる場合に取付けられる補助板２７が示されている。この補助板は前桁の上部突縁２３ｃにビスで固着され、その上端部は、綴じられた羽根板３１の第３突縁３１ｄにより被覆される位置において立ち上げられている。これにより、最下側の羽根板の第３突縁３１ｄから流下する雨水が前桁２３の樋２３ａに流れ込むようになっている。前桁に近い羽根板の第３突縁３１ｄが前桁の樋２３ａ内に臨む位置関係にあれば、補助板２７は不要である。
【図面の簡単な説明】
【００５１】
【図１】テラス屋根の正面図。
【図２】同側面図。
【図３】図１のＡ−Ａ線に沿った垂木掛け側の部分の断面図。
【図４】図１のＡ−Ａ線に沿った前桁側の部分の断面図。
【図５】垂木掛けの端部の斜視図。
【図６】図２のＢ−Ｂ線に沿った一部省略断面図。
【図７】図２のＣ−Ｃ線に沿った一部省略断面図。
【図８】ルーバーの一つの羽根板の形状を示す拡大断面図。
【図９】図１のＤ−Ｄ線に沿ったルーバー閉鎖状態における断面図。
【図１０】同じくルーバー開放状態における断面図。
【図１１】スタータ羽根板及びブラケットを示す断面図
【図１２】スタータ羽根板の開閉作用を説明する要部の拡大断面図。
【図１３】駆動手段の別の取付例を示す要部の側面図。
【図１４】駆動手段のさらに別の例を示す要部の斜視図。
【符号の説明】
【００５２】
１      支柱
２      枠体
２１    垂木掛け
２１ｅ  上側嵌合凹部
２１ｆ  下側嵌合凹部
２２    垂木
２３    前桁
２５    中間垂木
３      ルーバー
３１    羽根板
３１Ｓ  スタータ羽根板
３１ａ´  中空部
３１ｂ´  第１突縁
３１ｃ´  第２突縁（第一の突縁）
３１ｄ´  第３突縁
【図１】
2006274666.tif 000003
【図２】
2006274666.tif 000004
【図３】
2006274666.tif 000005
【図４】
2006274666.tif 000006
【図５】
2006274666.tif 000007
【図６】
2006274666.tif 000008
【図７】
2006274666.tif 000009
【図８】
2006274666.tif 000010
【図９】
2006274666.tif 000011
【図１０】
2006274666.tif 000012
【図１１】
2006274666.tif 000013
【図１２】
2006274666.tif 000014
【図１３】
2006274666.tif 000015
【図１４】
2006274666.tif 000016